(57)【要約】【課題】液々熱交換器を必要とせず、製造コストを低減することが可能で、しかも、ミストノズルが脱落した場合にも、エネルギの無駄な放出を抑制することが可能な浴用ミスト装置を提供する。【解決手段】ミスト噴霧開始指令手段と、ミスト用湯水を噴出するミストノズル４ａ，４ｂと、ミスト用湯水をミスト用給湯管路２０を経由してミストノズルに供給する給湯手段と、ミスト噴霧開始指令手段の操作によって、ミスト用湯水をミストノズルからミスト状に噴出するミスト運転を実行する制御部とを備えた浴用ミスト装置において、ミスト用給湯管路内を通流するミスト用水の単位時間当たりの流量を検出する流量検出部を備え、ミスト運転の実行中において、流量検出部による検出流量が所定の流量にまで増加したときに、制御部が、ミストノズルからのミスト用湯水の噴出を停止するように構成する。【選択図】図１
2018093932.tif 000002
【特許請求の範囲】
【請求項１】
ミスト噴霧の開始を指令するミスト噴霧開始指令手段と、
ミスト用湯水をミスト状に噴出するミストノズルと、
所定の温度に設定されたミスト用湯水を、ミスト用給湯管路を経由して前記ミストノズルに供給する給湯手段と、
前記ミスト噴霧開始指令手段の操作によって、前記給湯手段から供給される前記ミスト用湯水を前記ミストノズルからミスト状に噴出するミスト運転を実行する制御部と
を備えた浴用ミスト装置であって、
前記ミスト用給湯管路内を通流するミスト用水の単位時間当たりの流量を検出する流量検出部を備え、
前記ミスト運転の実行中において、前記流量検出部による検出流量が所定の流量にまで増加したときに、前記制御部が、前記ミストノズルからの前記ミスト用湯水の噴出を停止すること
を特徴とする浴用ミスト装置。
【請求項２】
前記所定の流量が、前記ミストノズルが装着された状態で前記ミスト運転が実行された場合に前記ミストノズルから噴霧されるミスト用湯水の単位時間当たりの流量の２倍以上の流量に設定されていることを特徴とする請求項１記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が普及するに至っている。
【０００３】
そのような浴用ミスト装置のひとつとして、特許文献１には、熱源手段から熱媒循環路を通して供給される熱媒により、給水路を通して供給される水を加熱する液々熱交換器を備え、該液々熱交換器において加熱された湯水をミスト噴出手段（例えばミストノズル）に供給するように構成された浴用ミスト装置が開示されている。
【０００４】
この浴用ミスト装置を用いることにより、液々熱交換器において適切な温度に加熱された湯水を、ミスト噴出手段からミスト状に噴出させて、手軽にミスト浴を楽しむことが可能になり、有意義である。
【０００５】
また、特許文献１の浴用ミスト装置は、熱源手段から熱媒循環路を経て供給される熱媒により、浴室から吸い込んだ空気を加熱し、加熱された空気を浴室に吹き出して浴室を暖房する暖房機能を備えている。したがって、特許文献１の浴用ミスト装置を備えている場合、ミスト浴を楽しむとともに、快適な入浴を行うことが可能になる。
【先行技術文献】
【特許文献】
【０００６】
【特許文献１】特開２００３−３３４２３０号公報
【発明の概要】
【発明が解決しようとする課題】
【０００７】
ところで、特許文献１の浴用ミスト装置においては、上述のように、液々熱交換器において適切な温度に加熱された湯水をミスト噴出部からミスト状に噴出させることで、ミスト噴出部から冷たい水が噴出され、使用者に不快感を与えることがないように構成されているが、給水路を通流する水を加熱するための液々熱交換器が必要であることから、製造コストの増大、構造の複雑化を招くという問題点がある。
【０００８】
これに対し、温水を供給する給湯手段（給湯装置）から供給されるミスト用湯水を、ミスト用給湯管路を経由してミスト噴出手段からミスト状に噴出してミスト運転を実行するように構成して、液々熱交換器を不要にすることにより、構造の簡潔化、構成部品数の削減を図り、製造コストを低減することが考えられる。
【０００９】
しかしながら、液々熱交換器を用いずに、給湯手段から供給されるミスト用湯水を、ミスト用給湯管路を経由してミスト噴出手段からミスト状に噴出するように構成した場合、ミスト噴出手段としては、一般的にミストノズルが用いられることになるが、入浴前の浴室暖房を目的として、浴室に人が居ない状態でミスト噴霧を行っているときに、何らかの原因でミストノズルが脱落した場合、ミストノズルが装着されていた箇所から、ミスト用湯水が噴出することになる。
【００１０】
その場合、ミストノズルの抵抗（圧損）が低下するので、場合によっては、給湯手段の最大給湯能力でミスト用湯水が噴出することになる。そして、浴室に人がいない状態では、このような事態に気づくことができないため、多量のミスト用湯水が噴出することになり、省エネルギの観点から好ましくない。
【００１１】
因みに、液々熱交換器の熱源機から熱媒の循環路（熱媒用通路）を経て供給される熱媒にて、給水用流路を通流する水を加熱するように構成された特許文献１の浴用ミスト装置においては、何らかの原因でミストノズルが脱落した場合、ミストノズルの圧損の低下により、液々熱交換器の給水路を通流する単位時間当たりの水の量が増加するため、液々熱交換器における熱交換量が多少増加するが、ミストノズルが装着されていた箇所から噴出する湯水により放出されるエネルギ量は、ミストノズルが脱落する前にミストノズルから噴出していたミストにより放出されていたエネルギ量に対してさほど大きくは増加することはない。
【００１２】
すなわち、ミストノズルが脱落すると、液々熱交換器の給水路を通流する水の量はある程度増加するが、適正に設計された液々熱交換器の熱交換量には限界があり、液々熱交換器の給水路を通流する水の量が増加しても、ミストノズルが装着されていた箇所から噴出する湯水の温度が低下することになるため、エネルギの放出量はそれほど大きくはならない。
【００１３】
これに対し、液々熱交換器を用いずに、給湯手段から供給されるミスト用湯水を、ミスト用給湯管路を経由してミスト噴出手段からミスト状に噴出するように構成された浴用ミスト装置の場合、例えば、給湯装置の最大給湯能力（出力）が６００ｋｃａｌ／分の場合（いわゆる２４号の給湯装置の場合）、何らかの原因でミストノズルが脱落したときには、最大給湯能力である６００ｋｃａｌ／分のエネルギを無駄に放出してしまうことになり、エネルギの損失が著しく増加することになる。  
【００１４】
本発明は、上記の課題を解決するものであり、液々熱交換器を必要とせず、製造コストを低減することが可能で、しかも、何らかの原因でミストノズルが脱落した場合にも、エネルギの無駄な放出を抑制することが可能な浴用ミスト装置を提供することを目的とする。
【課題を解決するための手段】
【００１５】
上記の目的を達成するために、本発明の浴用ミスト装置は、
ミスト噴霧の開始を指令するミスト噴霧開始指令手段と、
ミスト用湯水をミスト状に噴出するミストノズルと、
所定の温度に設定されたミスト用湯水を、ミスト用給湯管路を経由して前記ミストノズルに供給する給湯手段と、
前記ミスト噴霧開始指令手段の操作によって、前記給湯手段から供給される前記ミスト用湯水を前記ミストノズルからミスト状に噴出するミスト運転を実行する制御部と
を備えた浴用ミスト装置であって、
前記ミスト用給湯管路内を通流するミスト用水の単位時間当たりの流量を検出する流量検出部を備え、
前記ミスト運転の実行中において、前記流量検出部による検出流量が所定の流量にまで増加したときに、前記制御部が、前記ミストノズルからの前記ミスト用湯水の噴出を停止すること
を特徴としている。
【００１６】
本発明の浴用ミスト装置においては、前記所定の流量が、前記ミストノズルが装着された状態で前記ミスト運転が実行された場合に前記ミストノズルから噴霧されるミスト用湯水の単位時間当たりの流量の２倍以上の流量に設定されていることが好ましい。
【発明の効果】
【００１７】
本発明の浴用ミスト装置は、上述のように、ミスト噴霧開始指令手段の操作によって、給湯手段から供給されるミスト用湯水がミストノズルからミスト状に噴出されるように構成されており、液々熱交換器を備えていない構成とされているので、構造が簡潔になり、製造コストを低減することが可能になる。
【００１８】
また、ミスト用給湯管路内を通流するミスト用水の単位時間当たりの流量を検出する流量検出部を備え、ミスト運転の実行中において、流量検出部による検出流量が所定の流量にまで増加したときに、制御部が、ミストノズルからのミスト用湯水の噴出を停止するように構成されているので、何らかの原因でミストノズルが脱落した場合にも、エネルギの無駄な放出を抑制することが可能な浴用ミスト装置を提供することができる。
【００１９】
また、上述の所定の流量が、ミストノズルが装着された状態でミスト運転が実行された場合にミストノズルから噴霧されるミスト用湯水の単位時間当たりの流量の２倍以上の流量に設定されている場合、ミストノズルが脱落したことを的確に判定することが可能になり、誤判定による無用な停止を回避ことができる。
【図面の簡単な説明】
【００２０】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室内用の操作器の正面図である。
【発明を実施するための形態】
【００２１】
以下、本発明の実施形態を示して、その特徴とするところをさらに詳しく説明する。
【００２２】
［実施形態］
この実施形態にかかる浴用ミスト装置は、図１〜３に示すように、ユニットバスなどの浴室２に設置されるミスト機能付浴室暖房乾燥機（以下、単に「浴室暖房乾燥機Ａ」という）として構成されている。
【００２３】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴を実行する機能を備えている。
【００２４】
また、この浴室暖房乾燥機Ａを浴室２に設置するにあたっては、例えば、図３に示すように、浴槽７の上方の、浴室２の天井８に設置される。
【００２５】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２６】
また、図１および図２に示すように、浴室暖房乾燥機本体９内には、温風用熱交換器１３および送風機１４（１４ａ，１４ｂ）が内装されている。
【００２７】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
なお、上述の熱源機（暖房用温水供給用熱源機）１６は、本発明の浴用ミスト装置における給湯手段を兼ねるように構成されている。
【００２８】
また、図１および図２に示すように、暖房用温水管路１５には温風用熱交換器１３への温水の供給を開閉する熱動弁（本発明の浴用ミスト装置における暖房用開閉弁）１７が設けられており、暖房用温水管路１５にはこの管路を流れる温水の温度を検出する暖房温水サーミスタＴＨ２が配設されている。
【００２９】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００３０】
図１に示すように、この実施形態にかかる浴室暖房乾燥機Ａにおいて、送風機１４は、浴室内空気を循環させる循環ファン１４ａと、浴室内空気を外部へ排出する換気ファン１４ｂとを備えた構成とされている。また、屋外への排気口の手前には、逆流を防止するための逆風止め５０を備えている。
【００３１】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３２】
また、この浴室暖房乾燥機Ａは、ミスト浴の機能を具備するためにミスト発生部１９が組み込まれている。ミスト発生部１９のミストノズル４は、グリル板１２の一部に配置されており、ミスト用給湯管路２０がミストノズル４に連通している。
【００３３】
図２に示すように、ミストノズル４として、３．０リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状に噴霧される。
【００３４】
そして、２つのミストノズル４（４ａ，４ｂ）の両方から温水のミストを噴霧すると、ミスト用給湯管路２０に６．０リットル／ｍｉｎの温水が通流し「強」に相当するミスト量でミストが噴霧され、２つのミストノズル４ａ，４ｂの一方から温水のミストを噴霧すると、ミスト用給湯管路２０に３．０リットル／ｍｉｎの温水が通流し「弱」に相当するミスト量でミストが噴霧されるように構成されている。
【００３５】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３６】
ミスト用給湯管路２０には、本発明における給湯手段としても機能する熱源機１６から温水が供給されるように構成されており、入口側から順にストレーナ２２、給湯電磁弁２３が設けられている（図１、図２）。ただし、図３においては、給湯配管の図示は省略している。
なお、ミスト用湯水を、熱源機１６とは別に配設された給湯手段から供給するように構成することも可能である。
【００３７】
因みに、浴室暖房乾燥機Ａの取扱説明書には、給湯装置（を兼ねる熱源機１６）の出湯設定温度を４０℃から４８℃に設定するように記載されており、給湯装置（熱源機１６）からは、４０℃から４８℃の温水が供給されるように構成されている。
【００３８】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００３９】
また、浴室暖房乾燥機Ａは、図３に示すように、浴室２外の脱衣所に設けた操作器（浴室外用の操作器）５や、浴室２内に設けた操作器（浴室内用の操作器）３０にてリモコン操作されるように構成されている。
【００４０】
また、図５に示すように、浴室外用（脱衣所用）の操作器５には、タイマー表示部３１、タイマー設定スイッチ３２、風向スイッチ３３、浴室外ミストサウナスイッチ３４、乾燥スイッチ６、暖房スイッチ３６、涼風スイッチ３７、換気スイッチ３８、停止スイッチ３９が設けられている。
【００４１】
さらに、浴室外ミストサウナスイッチ３４の上側には、ミストの強度を示す強ランプ３４ａおよび弱ランプ３４ｂが配設されている。強ランプ３４ａおよび弱ランプ３４ｂは、ミスト運転の開始報知手段としての機能を兼ね備えている。
【００４２】
また、図６に示すように、浴室内用の操作器３０には、状態表示部４０、浴室内ミストサウナスイッチ（ミスト噴霧開始指令手段）１３４、浴室内ミストスイッチ１４１、浴室内温度設定スイッチ１４２、浴室内暖房スイッチ１３６、浴室内涼風スイッチ１３７、浴室内風向スイッチ１３３、ミスト入浴時間計測用のストップウォッチのスタート／ストップスイッチ１４３、リセットスイッチ１４５、浴室内停止スイッチ１３９が設けられている。
【００４３】
さらに、浴室内用の操作器３０には、脱衣所用の操作器５の強ランプ（ＬＥＤ）３４ａ、弱ランプ（ＬＥＤ）３４ｂと同様に機能する強ランプ（ＬＥＤ）１３４ａ、弱ランプ（ＬＥＤ）１３４ｂが配設されている。
【００４４】
また、この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００４５】
なお、湿度検出手段（湿度センサ）２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４６】
また、図４は、浴室暖房乾燥機Ａの制御部Ｂの一例を示す図である。制御部Ｂには、メモリ２８、演算回路２９などが内蔵され、上記操作器５や浴室用操作器３０をリモコン操作することで制御部Ｂにて、以下に説明するような制御が行われるように構成されている。
【００４７】
＜特徴的構成＞
次に、この実施形態にかかる、浴用ミスト装置を備えた浴室暖房乾燥機Ａの特徴的な構成について説明する。
【００４８】
浴室暖房乾燥機Ａは、上述のように、制御部Ｂ（図４）を備えており、この制御部Ｂが、以下に説明するミスト運転を実行する。
【００４９】
このミスト運転は、ミスト噴霧の開始を指令する浴室外ミストサウナスイッチ（ミスト噴霧開始指令手段）３４（図５）の操作によって、給湯装置（この実施形態では熱源機１６）から供給されるミスト用湯水を、制御部Ｂが、ミスト用給湯管路２０を経由してミスト噴出手段（この実施形態ではミストノズル）４ａ，４ｂからミスト状に噴出させることにより実行される。
【００５０】
また、この実施形態において、ミスト運転は給湯装置から４０℃から４８℃の温水を供給することにより行われるが、浴室暖房乾燥機Ａは、ミスト用給湯管路２０を通流するミスト用湯水の温度を検出するミスト用湯水温度検出手段（ミスト温度サーミスタ）ＴＨ１（図１、図２）による検出温度が、所定の温度（例えば３８℃）に達したことを報知する報知手段を備えている。
【００５１】
浴室外ミストサウナスイッチ（ミスト噴霧開始指令手段）３４の操作とミスト運転の動作との関係は、概略以下のようになる。
（ａ）浴室外ミストサウナスイッチ（ミスト噴霧開始指令手段）３４を一度押し操作すると、制御部Ｂがミスト「強」運転を実行し、ミストノズル４ａおよびミストノズル４ｂの両方から温水をミスト状に噴霧し、浴室外ミストサウナスイッチ３４の上に配置される強ランプ（ＬＥＤ）３４ａが点灯し、また、
（ｂ）浴室外ミストサウナスイッチ（ミスト噴霧開始指令手段）３４を二度押し操作すると、制御部Ｂがミスト「弱」運転を実行し、ミストノズル４ａまたはミストノズル４ｂの内の一方（この実施形態では、ミストノズル４ａ）から温水をミスト状に噴霧し、浴室外ミストサウナスイッチ３４の上に配置される弱ランプ（ＬＥＤ）３４ｂが点灯する。
【００５２】
この浴室外ミストサウナスイッチ３４に配置される強ランプ３４ａおよび弱ランプ３４ｂは、上述のように、ミスト運転の開始報知手段としての機能を兼ね備えている。そして、
（ａ）ミストの噴霧を開始してから、ミスト温度サーミスタＴＨ１（図１、図２）による検出温度が所定の温度（例えば３８℃）未満である期間は、制御部Ｂがミスト「強」運転を実行している場合は浴室外ミストサウナスイッチ３４の上に配置される強ランプ３４ａが点滅し、
（ｂ）制御部Ｂがミスト「弱」運転を実行している場合は浴室外ミストサウナスイッチ３４の上に配置される弱ランプ３４ｂが点滅するように構成されている。
【００５３】
そして、
（ａ）ミスト温度サーミスタＴＨ１（図１、図２）による検出温度が所定の温度（例えば４３℃）以上となった時点で、制御部Ｂがミスト「強」運転を実行している場合には、浴室外ミストサウナスイッチ３４の上に配置される強ランプ３４ａが連続点灯し、
（ｂ）制御部Ｂがミスト「弱」運転を実行している場合は浴室外ミストサウナスイッチ３４の上に配置される弱ランプ３４ｂが連続点灯するように構成されている。
【００５４】
また、この実施形態の浴室暖房乾燥機Ａでは、上述のように、浴室内用の操作器３０に、脱衣所用の操作器５の強ランプ（ＬＥＤ）３４ａ、弱ランプ（ＬＥＤ）３４ｂと同様に機能する、強ランプ（ＬＥＤ）１３４ａ、弱ランプ（ＬＥＤ）１３４ｂが配設されており、ミスト「弱」運転が実行されているか、ミスト「強」運転が実行されているかを、脱衣所でも認識することができるように構成されている。
【００５５】
さらに、この実施形態の浴室暖房乾燥機Ａでは、ミスト用給湯管路２０内を通流するミスト用水の単位時間当たりの流量を検出する流量センサ（流量検出部）ＦＳを備えている（図１、図２、図４）。
【００５６】
そして、ミストノズル４ａやミストノズル４ｂからミスト用湯水がミスト状噴霧されるミスト運転実行中において、流量センサ（流量検出部）ＦＳによる検出流量が所定の流量まで増加したときに、制御部Ｂは、ミスト開閉弁２１ａおよび２１ｂを閉弁して、ミスト用湯水の噴出を停止するように構成されている。
【００５７】
上述のように構成された、この実施形態にかかる浴室暖房乾燥機Ａを構成する浴用ミスト装置は、液々熱交換器を必要としないので製造コストを低減することが可能で、しかも、ミスト温度サーミスタ（ミスト用湯水温度検出手段）ＴＨ１による検出温度が所定の温度（例えば３８℃）に達したことを報知する報知手段を備えることで、使用者が、所定の温度（例えば３８℃）に達するまでの間に、ミスト噴出部から噴霧される低温のミストを不用意に浴びることを抑制することができる。
【００５８】
したがって、使用者に不快感を与えることを回避することが可能で、使い勝手の良好な浴用ミスト装置（浴室暖房乾燥機Ａ）を提供することができるようになる。
【００５９】
さらに、この実施形態にかかる浴室暖房乾燥機Ａを構成する浴用ミスト装置は、ミスト用給湯管路２０内を通流するミスト用水の単位時間当たりの流量を検出する流量センサ（流量検出部）ＦＳを備えているので、何らかの原因でミストノズルが脱落した場合にも、エネルギを無駄に放出してしまうことを回避することができる。
【００６０】
なお、ミスト開閉弁２１ａまたは２１ｂの何れか一方だけを開弁してミスト運転を実行している場合は、ミストノズル４ａあるいはミストノズル４ｂの何れかから噴霧されるミスト用湯水の単位時間当たりの流量は３．０リットル／ｍｉｎであるが、ミスト開閉弁２１ａまたは２１ｂの何れか一方だけを開弁してミスト運転を実行している場合において、流量センサ（流量検出部）ＦＳによる検出流量が６．０リットル／ｍｉｎまで増加したときに、制御部Ｂは、ミスト開閉弁２１ａおよび２１ｂのうち、開弁している方の弁を閉弁して、ミスト用湯水の噴出を停止する。
【００６１】
また、ミスト開閉弁２１ａおよび２１ｂの両方を開弁してミスト運転を実行している場合は、ミストノズル４ａおよびミストノズル４ｂから噴霧されるミスト用湯水の単位時間当たりの流量の合計は６．０リットル／ｍｉｎであるが、ミスト開閉弁２１ａおよび２１ｂの両方を開弁してミスト運転を実行している場合において、流量センサ（流量検出部）ＦＳによる検出流量が１２．０リットル／ｍｉｎまで増加したときに、制御部Ｂは、ミスト開閉弁２１ａ，２１ｂの両方を閉弁して、ミスト用湯水の噴出を停止する。
【００６２】
つまり、流量センサ（流量検出部）ＦＳによる検出流量が所定の流量まで増加したときに、制御部Ｂによりミスト開閉弁２１ａおよび２１ｂの一方、または両方を閉弁して、ミスト用湯水の噴出を停止する上記所定の流量（すなわち、閉弁してミスト開閉弁２１ａ、２１ｂからのミスト用湯水の噴出を停止する閾値流量）は、ミストノズル４ａおよび４ｂが装着されている場合に、ミスト運転の実行中においてミストノズル４ａおよび４ｂから噴霧されるミスト用湯水の単位時間当たりの流量の２倍の流量に設定されている。
【００６３】
なお、ミスト開閉弁２１ａおよび２１ｂを閉弁して、ミスト用湯水の噴出を停止する上記所定の流量を、上述のように、ミストノズル４ａおよび４ｂが装着されている場合にミスト運転の実行中においてミストノズル４ａおよび４ｂから噴霧されるミスト用湯水の単位時間当たりの流量の２倍以上に設定することで、ミストノズルが脱落したことを的確に判定することが可能になり、誤判定による無用な停止を回避することができる。
【００６４】
［別実施形態］
ミスト開閉弁２１ａおよび２１ｂを閉弁して、ミスト用湯水の噴出を停止する上記所定の流量（閾値流量）を、ミストノズル４ａおよび４ｂが装着されている場合にミスト運転の実行中においてミストノズル４ａおよび４ｂから噴霧されるミスト用湯水の単位時間当たりの流量の２倍以上に設定するようにした点は任意の構成であり、本発明においては、閾値流量を上述の流量の２倍未満とすることも可能である。
【００６５】
発明は、上記実施形態に限定されるものではなく、本発明の範囲内において種々の変形を加えることが可能である。
【符号の説明】
【００６６】
１        吸い込み口
２        浴室
３        吹き出し口
４（４ａ，４ｂ）    ミスト噴出手段（ミストノズル）
５        浴室外用（脱衣所用）の操作器
９        浴室暖房乾燥機本体
１２      グリル板
１３      温風用熱交換器
１４      送風機
１４ａ    循環ファン
１４ｂ    換気ファン
１６      給湯手段を兼ねる熱源機（暖房用温水供給用熱源機）
１７      熱動弁（暖房用温水通流制御部）
１８      可動ルーバー
１９      ミスト発生部
２０      ミスト用給湯管路
２１ａ    ミスト開閉弁
２１ｂ    ミスト開閉弁
２２      ストレーナ
２３      給湯電磁弁
２７      湿度検出手段（湿度センサ）
２８      メモリ
２９      演算回路
３０      浴室内用の操作器
３１      浴室外用の操作器のタイマー表示部（時間表示部）
３４      浴室外用の操作器のミスト噴霧開始指令手段（浴室外ミストサウナスイッチ）
３４ａ    強ランプ
３４ｂ    弱ランプ
３８      浴室外用の操作部の換気スイッチ
４０      浴室内用の操作器の状態表示部
５０      逆風止め
５１      往き配管
５２      往き配管接続部
６１      戻り配管
６２      戻り配管接続部
１３４    浴室内用の操作器のミスト噴霧開始指令手段（浴室内ミストサウナスイッチ）
１３４ａ  強ランプ
１３４ｂ  弱ランプ
Ａ        浴室暖房乾燥機
Ｂ        制御部
ＴＨ１    ミスト用湯水温度検出手段（ミスト温度サーミスタ）
ＴＨ２    往き温水温度検出手段（暖房温水サーミスタ）
ＴＨ３    浴室温度検出手段（浴室温度サーミスタ）
【図１】
2018093932.tif 000003
【図２】
2018093932.tif 000004
【図３】
2018093932.tif 000005
【図４】
2018093932.tif 000006
【図５】
2018093932.tif 000007
【図６】
2018093932.tif 000008